(57)【特許請求の範囲】
【請求項１】
先端側の吐水口に給水を行なう給水路を内部に備えた吐水管の基端側に設けた円筒状をなす回転軸部を、該吐水管を回転可能に保持するホルダの嵌合穴に回転可能に嵌入させて、該回転軸部と該ホルダとにまたがって、該吐水管の回転操作時に所定の回転位置でクリック感を発生する回転クリック機構を設け、
該回転クリック機構は、(イ)前記回転軸部の下端部に該回転軸部と一体回転する状態に保持されたクリック部材と、(ロ)該クリック部材の下面に下向きに形成された凸部又は凹部からなる係合部と、(ハ)該クリック部材の上側において前記回転軸部を取り巻くように同軸状に且つ該回転軸部と一体回転する状態に嵌装され、該クリック部材の全体を下向きに付勢するコイルばねと、(ニ)前記係合部に対応して前記ホルダ側に上向きに固定状態に設けられた凹部又は凸部からなる被係合部と、を含んで構成し、前記吐水管の回転操作時に前記所定の回転位置で前記クリック部材の下向きの係合部を対応するホルダ側の被係合部に対して前記コイルばねの付勢力により弾性係合させ、クリック感を発生させるようになしてあり、
前記クリック部材は、該クリック部材及び前記回転軸部の一方に設けた弾性掛止爪と他方に設けた対応する掛止部との掛止により前記回転軸部に取り付けてあることを特徴とする吐水管の回転クリック機構を備えた吐水装置。
【請求項２】
請求項１において、前記回転軸部の下端からは前記吐水管の回転規制のための回転規制突起が下向きに突出しており、前記クリック部材が該回転規制突起の周方向の一端から他端に到るＣ字環状をなしていて、該クリック部材の周方向の各端が該回転規制突起の該一端と他端とに周方向に当接する状態に前記回転軸部に保持させてあり、該回転規制突起が該クリック部材の該回転軸部に対する相対回転を規制する回止め部を成していることを特徴とする吐水管の回転クリック機構を備えた吐水装置。
【発明の詳細な説明】
【技術分野】
【０００１】
この発明は吐水装置に関し、詳しくは吐水管の回転操作時に所定の回転位置でクリック感を発生する吐水管の回転クリック機構を備えた吐水装置に関する。
【背景技術】
【０００２】
回転可能な吐水管を有する吐水装置において、吐水管の回転操作時に所定の回転位置でクリック感を発生させ、吐水管をその位置に位置決めする回転クリック機構を備えたものが従来公知である。
【０００３】
例えば下記特許文献１には、吐水管と一体回転する環状ケースの保持凹部に２つのスチールボールを保持させ、吐水管の回転操作時に、固定側の支持管側に設けた、スチールボールに対して径方向内側に位置する環状受け部材の凹部に、そのスチールボールを弾性係合させることでクリック感を発生させるようになしたものが開示されている。
【０００４】
しかしながらこの特許文献１に開示のものは、係合部としてのスチールボールを、その径方向内側に設けた環状受け部材の凹部（被係合部）に対して弾性係合させる関係上、クリック機構及びその周りの構造が径方向に大型化してしまう問題がある。
【０００５】
一方下記特許文献２には、シャワーヘッドの継手管と一体回転する状態にストッパリングを設けて、そのストッパリングに収納溝を形成し、その収納溝にスプリングと球状のストッパを収納して、スプリングによりストッパを下向きに付勢し、継手管の所定回転位置でそのストッパを、対応するホルダの凹所に弾性係合させてクリック感を発生させるようになしたものが開示されている。
【０００６】
この特許文献２に開示のものは、ストッパを対応するホルダの相手側の凹所に軸方向に係合させてクリック感を発生させるものであるが、この特許文献２に開示のものは、継手管に対し径方向の外側位置に部分的にスプリングと球状のストッパ及び対応する凹部を設けて、それらによりクリック感を発生させるようになしていることから、特許文献１に開示のものと同様にクリック機構及びその周りの構造が径方向に大型化してしまう。
更にこの特許文献２に開示のものでは、ストッパと凹所とで十分な係合力を発生させること、即ち十分に大きなクリック感を発生させることが難しい問題も有している。
【０００７】
【特許文献１】特開２００６−２５７７４０号公報
【特許文献２】特開平９−２６８６１４号公報
【発明の開示】
【発明が解決しようとする課題】
【０００８】
本発明は以上のような事情を背景とし、吐水管の回転操作時に十分に大きな係合力を発生させてクリック感を大きく発生させることができ、しかもクリック機構の占めるスペースを小スペースとなし得、またクリック機構及びその周りの構造をコンパクトに構成し得る吐水管の回転クリック機構を備えた吐水装置を提供することを目的としてなされたものである。
【課題を解決するための手段】
【０００９】
而して請求項１のものは、先端側の吐水口に給水を行なう給水路を内部に備えた吐水管の基端側に設けた円筒状をなす回転軸部を、該吐水管を回転可能に保持するホルダの嵌合穴に回転可能に嵌入させて、該回転軸部と該ホルダとにまたがって、該吐水管の回転操作時に所定の回転位置でクリック感を発生する回転クリック機構を設け、該回転クリック機構は、(イ)前記回転軸部の下端部に該回転軸部と一体回転する状態に保持されたクリック部材と、(ロ)該クリック部材の下面に下向きに形成された凸部又は凹部からなる係合部と、(ハ)該クリック部材の上側において前記回転軸部を取り巻くように同軸状に且つ該回転軸部と一体回転する状態に嵌装され、該クリック部材の全体を下向きに付勢するコイルばねと、(ニ)前記係合部に対応して前記ホルダ側に上向きに固定状態に設けられた凹部又は凸部からなる被係合部と、を含んで構成し、前記吐水管の回転操作時に前記所定の回転位置で前記クリック部材の下向きの係合部を対応するホルダ側の被係合部に対して前記コイルばねの付勢力により弾性係合させ、クリック感を発生させるようになしてあり、前記クリック部材は、該クリック部材及び前記回転軸部の一方に設けた弾性掛止爪と他方に設けた対応する掛止部との掛止により前記回転軸部に取り付けてあることを特徴とする。
【００１０】
請求項２のものは、請求項１において、前記回転軸部の下端からは前記吐水管の回転規制のための回転規制突起が下向きに突出しており、前記クリック部材が該回転規制突起の周方向の一端から他端に到るＣ字環状をなしていて、該クリック部材の周方向の各端が該回転規制突起の該一端と他端とに周方向に当接する状態に前記回転軸部に保持させてあり、該回転規制突起が該クリック部材の該回転軸部に対する相対回転を規制する回止め部を成していることを特徴とする。
【発明の作用・効果】
【００１１】
以上のように本発明は、吐水管における基端側の回転軸部の下端部に回転軸部と一体回転する状態に保持されたクリック部材と、そのクリック部材の下面に下向きに形成された凸部又は凹部からなる係合部と、クリック部材の上側で回転軸部を取り巻くように同軸状に嵌装され、クリック部材の全体を下向きに付勢するコイルばねと、上記係合部に対応してホルダ側に上向きに固定状態に設けられた凹部又は凸部からなる被係合部とを含んで、吐水管の回転クリック機構を構成したものである。
【００１２】
本発明によれば、コイルばねとして径の大きな付勢力の強いものを用いることができ、従って吐水管の回転操作時に、係合部と被係合部とを強い係合力で弾性係合させ得て、その係合によるクリック感を大きく発生させることができ、そのことによって使用者に対し、吐水管が所定の回転位置に到ったことを確実且つ明確に知らせることができ、また位置決めの力を強くし得て、吐水管に対する所定の回転位置での保持力を強くすることができる。
【００１３】
しかもこのコイルばねは回転軸部の外周面に沿って、これを取り巻くように配置してあるため、このような径の大きなコイルばねを設けたとしても、そのことによってクリック機構が径方向に特に大型化することはなく、コイルばねの占めるスペースも小スペースとなし得、従ってまたその周辺部の構造も径方向に小型のものとなすことができる。
また本発明によれば、コイルばねが回転軸部の外周面に沿って回転軸部と同軸状に設けてあるため、かかるコイルばねによってクリック部材を周方向に沿って均等な力で下向きに付勢することができる。
【００１４】
本発明では、クリック部材を、クリック部材及び回転軸部の一方に設けた弾性掛止爪と他方に設けた対応する掛止部との掛止により回転軸部に取り付けるようになしており、このようにすれば、クリック部材を回転軸部に取り付けるための別途の部材を必要とせず、所要部品点数が少なくて済み、クリック機構の構造を簡素化することができるとともに、クリック部材の取り付けの工数、クリック機構の組み付けの工数を少なくすることができる。
ここで弾性掛止爪はクリック部材の側に設けておくのが好適であるが、回転軸部の側に設けておくことも可能である。
【００１５】
次に請求項２は、回転軸部の下端から吐水管の回転規制のための回転規制突起を下向きに突出させるとともに、クリック部材を回転規制突起の周方向の一端から他端に到るＣ字環状に形成して、そのクリック部材の周方向の各端を、回転規制突起の一端と他端とに周方向に当接させる状態に上記の回転軸部に保持させたもので、この請求項２によれば、吐水管自体の回転規制をなす回転規制突起に、クリック部材に対する回止め部としての働きも兼用させることができる。
これによりクリック部材を回転軸部に対して相対回転規制するための別途の部材を設けることを不要化でき、クリック機構を構成する所要部品点数を少なくし得て、クリック機構の構造を簡素化できるとともに、クリック機構の組み付けの工数を少なくすることができる。
【発明を実施するための最良の形態】
【００１６】
次に本発明の実施形態を図面に基づいて詳しく説明する。
図１及び図２において、１０は吐水装置で、先端に吐水口１４を有する吐水管１２と、これを回転可能に保持するホルダ１６とを有している。
吐水管１２は、その全体が略逆Ｕ字形状即ちグースネック形状をなしており、また吐水管本体部１８は、その下端部を含む全体が断面四角形状をなしている。
一方ホルダ１６もまた、その上端部を含む全体が断面四角形状を成している。
ここで吐水管本体部１８の下端部と、ホルダ１６の上端部とは同一形状，同一寸法の断面四角形状をなしている。
【００１７】
この実施形態においては、吐水管１２が図１に示す中立位置（回転方向の中央位置）にある状態で、吐水管本体部１８の下端部とホルダ１６の上端部とが形状的に互いに合致するようになっている。
即ち、吐水管本体部１８の角部とホルダ１６の角部とが、互いに回転方向に一致し、下側のホルダ１６と上側の吐水管本体部１８とが上下に連続した形状となるようにしてある。
ホルダ１６は、下端部に径方向（軸直角方向）に突出した四角形状の台座部２０を有しており、図３に示しているようにこの台座部２０が、カウンター上面等の取付面２２に着座せしめられている。
【００１８】
図３に示しているように、これら吐水管１２とホルダ１６との内部には給水チューブ２４が挿通されており、この給水チューブ２４を通じて、吐水管１２の先端の吐水口１４に給水が行われるようになっている。
吐水管１２は、図２〜図８に示しているように、吐水管本体部１８から下向きに突き出した円筒状をなす回転軸部２６を有しており、この回転軸部２６が、図３に示しているようにホルダ１６の嵌合穴２８に回転可能に嵌入されている。ここで嵌合穴２８は円形内面とされている。
【００１９】
回転軸部２６においてホルダ１６の嵌合穴２８に嵌入された吐水管１２は、弾性を有する抜止クリップ３０にてホルダ１６から抜止めされている。
図２，図３，図８に示しているように、抜止クリップ３０は一対のアーム３２を有していて、図３，図８に示すホルダ１６の嵌込開口３４から内部に嵌め込まれ、そして一対のアーム３２が、回転軸部２６の係合溝３６に係合することによって、吐水管１２がホルダ１６から抜止めされている。
【００２０】
この実施形態では、吐水管１２の回転軸部２６とホルダ１６とにまたがって、吐水管１２が所定の回転位置に到ったところでクリック感を発生する回転クリック機構３８（図２参照）が設けられている。
ここで回転クリック機構３８は、吐水管１２が上記の中立位置に到ったときと、回転方向の右端位置と左端位置とに到ったところでクリック感を発生する。
尚吐水管１２の中立位置は、吐水管１２が正面の使用者に向って前方に延び出した位置である。
【００２１】
この実施形態の吐水装置１０は、吐水口１４の下方に使用者が手を差し出すと、図示を省略するセンサがこれを検知して、自動的に吐水口１４から吐水する自動吐水装置である。
但し本発明はこのような自動吐水装置に限らず、他の様々な吐水装置に適用することができる。
【００２２】
回転軸部２６の下端からは、吐水管１２の回転規制をなす回転規制突起４０が図中下向きに部分的に突出している。
回転規制突起４０は、図２及び図５に示しているように周方向に円弧形状をなしており、その周方向の一端と他端とがそれぞれストッパ面４２-１，４２-２とされている。
そしてこれらストッパ面４２-１，４２-２が、ホルダ１６に装着された後述の下クリック部材４４の各ストッパ面、詳しくは図１０に示す下クリック部材４４の周方向の一端のストッパ面４６-１と、他端のストッパ面４６-２とに当接することによって、吐水管１２の更なる回転を規制する。
【００２３】
図２に示しているように、回転クリック機構３８は、回転軸部２６の下端部に取り付けられた上クリック部材４８を有している。
上クリック部材４８は、図５に示しているようにＣ字環状をなしており、図９にも示しているようにその上端部には周方向３個所に弾性掛止爪５０を有していて、この弾性掛止爪５０を、回転軸部２６の環状の掛止溝５２の底部（掛止部）５４に掛止させる状態に、回転軸部２６に取り付けられ保持されている。
ここで上クリック部材４８は、弾性掛止爪５０が掛止溝５２内において上下に移動可能である。即ち上クリック部材４８は上下に微動可能に回転軸部２６に保持されている。
【００２４】
図５の部分拡大図に示しているように、このＣ字環状をなす上クリック部材４８は、周方向の各端を上記の回転規制突起４０の周方向の一端のストッパ面４２-１と、他端のストッパ面４２-２とに当接させており、これにより上クリック部材４８が回転軸部２６に対し相対的に回転規制されている。
【００２５】
即ちこの実施形態では、吐水管１２を回転規制するための回転規制突起４０が、上クリック部材４８に対する回止め部を成しており、かかる回転規制突起４０が、吐水管１２の回転規制と上クリック部材４８の回転軸部２６に対する回転規制とを兼ねて構成されている。
【００２６】
換言すれば上クリック部材４８は、この回転規制突起４０による回止め作用によって吐水管１２、具体的には回転軸部２６と一体回転する状態に回転軸部２６に取り付けられている。
尚回転規制突起４０は、上クリック部材４８の取付状態の下で、それよりも更に下向きに突出する形状をなしている。
【００２７】
このＣ字環状をなす上クリック部材４８の下面には、図９に示しているように突起から成る係合部５６-１，５６-２が周方向に離隔した２個所に設けられている。ここで係合部５６-１，５６-２は上クリック部材４８の下端に設けられた内向きのフランジ部５７の下面に、径方向に延びる形態で設けられている。
【００２８】
本実施形態において、これら係合部５６-１と５６-２とは周方向に角度θ１（ここではθ１＝９０°）隔たった２個所に設けられている。
【００２９】
回転クリック機構３８はまた、上クリック部材４８の上側において、回転軸部２６を取り巻くように回転軸部２６に同軸状に且つ回転軸部２６と一体回転する状態に嵌装されたコイルばね５８を有している（図２〜８参照）。
【００３０】
コイルばね５８は、図３及び図４に示しているように回転軸部２６の外周に形成された環状の凹所６０に収容され、その上端が外向きのフランジ部６２に、また下端が上記の上クリック部材４８に当接し、上クリック部材４８に対して下向きの付勢力を及ぼしている。
【００３１】
尚、図５及び図９に示しているように上クリック部材４８の上面には、コイルばね５８の下端を受ける凹面状のばね受面７４が形成され、そのばね受面７４にコイルばね５８の下端が当接している。
上クリック部材４８にはまた、弾性掛止爪５０の上面にも凹面状のばね受面７４が形成され、そこにコイルばね５８の下端が当接している。
【００３２】
上記回転クリック機構３８はまた、図３，図４，図５及び図７に示しているように、ホルダ１６側に取り付けられた下クリック部材４４を更に有している。
このホルダ１６の内面且つ下部には、図６，図７に示すように内向きの突出部６４が設けられ、そこに下クリック部材４４が取り付けられている。
【００３３】
ここで下クリック部材４４には、図１０に詳しく示しているように下向きの嵌込凸部６８が形成され、この嵌込凸部６８が、突出部６４に形成された嵌込凹部７０に嵌め込まれ、それら嵌込凸部６８と嵌込凹部７０との凹凸嵌合に基づいて、下クリック部材４４がホルダ１６に対し回転方向に固定状態に且つ突出部６４の上面に載置状態に取り付けられている。
【００３４】
尚この下クリック部材４４の周方向の一端と他端とは、上述したように上記の回転規制突起４０のストッパ面４２-１，４２-２と当接し、回転規制突起４０と協働して吐水管１２の回転を規制するストッパ面４６-１，４６-２とされている。
【００３５】
図１０に示しているように、下クリック部材４４は周方向に所定長を有する円弧形状（ここでは略半円形状）をなしており、その上面の複数個所に、上クリック部材４８における上記の凸部から成る係合部５６-１，５６-２に対応した、凹部から成る被係合部７２-１，７２-２，７２-３，７２-４，７２-５が設けられている。
この実施形態において、各被係合部７２-１〜７２-５は周方向に角度θ２（ここではθ２＝４５°）の等間隔で設けられている。
【００３６】
次に本実施形態の作用を図１１及び図１２を参照して説明する。
図１１（Ｉ）は、吐水管１２が平面視において右端まで回転した状態を表しており、このとき上クリック部材４８の凸部からなる係合部５６-１と５６-２とが、ホルダ１６側の下クリック部材４４の凹部からなる被係合部７２-３，７２-５に弾性係合した状態にある。
【００３７】
またこのとき、吐水管１２における回転規制突起４０のストッパ面４２-１が、下クリック部材４４のストッパ面４６-１に当接した状態にあって、それよりも図中右方向への吐水管１２の回転が規制されている。
但しその回転の規制位置を、図１１（Ｉ）に示す吐水管１２の位置よりも右方向の位置となすこともできる。
【００３８】
図１１（Ｉ）に示す状態から、吐水管１２を図中左方向に中立位置（中央位置）を超えて大きく回転させると、吐水管１２が中立位置から角度θ２だけ左方向に回転したところで、上クリック部材４８の係合部５６-１，５６-２が、下クリック部材４４の被係合部７２-１，７２-３に弾性係合した状態となる（図１１（II））。
【００３９】
このとき、係合部５６-１，５６-２はコイルばね５８の下向きの付勢力によって、被係合部７２-１，７２-３に弾性的に勢い良く嵌り込んで係合し、そこで大きなクリック感を発生させる。
また同時に、吐水管１２が係合部５６-１，５６-２と被係合部７２-１，７２-３との弾性係合によってそこに位置決めされ保持される。
【００４０】
尚この図１１（II）に示す状態となったときにおいても、吐水管１２の回転規制突起４０のストッパ面４２-２が、下クリック部材４４のストッパ面４６-２に当接して、そこで更なる回転が規制される。
但し回転規制突起４０による吐水管１２の回転規制の位置を、これよりも更に左側の位置となしておくこともできる。
【００４１】
また吐水管１２が、図１１（I）に示す位置から図１１（II）に示す位置に回転する過程で、回転方向の中央位置（中立位置）に到ったときにも、係合部５６-１，５６-２が被係合部７２-２，７２-４に弾性的に勢い良く嵌り込んで係合し、それらの弾性係合によって大きなクリック感が発生する（図１１（III））。
従って使用者は、吐水管１２が回転方向の中央位置（中立位置）、即ち吐水管１２が正しく正面の前方を向いた回転位置に到ったことを、その大きなクリック感によって明確に知ることができる。
【００４２】
図１はこのときの状態を表しており、同図に示しているようにこの状態において、ホルダ１６の上端部と吐水管本体部１８の下端部との各断面四角形状が正しく合致した状態となり、ホルダ１６の角部と、吐水管本体部１８の角部とが上下に一直線状となる。
即ち下側のホルダ１６と、上側の吐水管本体部１８とが上下方向に連続した形状となる。
【００４３】
上記の回転クリック機構３８が設けられていないと、吐水管１２を使用者が回転させて丁度中央の位置に持ち来したつもりであっても、下側のホルダ１６に対し上側の吐水管１２の回転位置が僅かにずれているといったことが生じ勝ちである。
このとき、図１２に示しているようにホルダ１６側の角部と、吐水管１２側の角部とが回転方向にずれた位置となって、ホルダ１６と吐水管本体部１８との境界部分で形状が不連続となり、使用者に見苦しさを感じさせてしまう。
しかるにこの実施形態によれば、そうした不具合を有効に防止することができる。
【００４４】
以上のような本実施形態によれば、上クリック部材４８を下向きに付勢するためのばねとして径の大きな付勢力の強いコイルばねを用いていることから、吐水管１２の回転操作時に係合部５６-１，５６-２と被係合部７２-１，７２-２，７２-３，７２-４，７２-５とを強い弾性係合力で係合させ得て、その係合によるクリック感を大きく発生させることができる。
そしてそのことによって、使用者に対し吐水管１２が所定の回転位置に到ったことを確実且つ明確に知らせることができ、また位置決めの力を強くし得て、吐水管１２を所定の回転位置で強い保持力で保持することができる。
【００４５】
しかもこのコイルばね５８は回転軸部２６の外周面に沿ってこれを取り巻くように配置してあるため、このような径の大きなコイルばね５８を設けたとしても、そのことによって回転クリック機構３８が径方向に特に大型化せず、コイルばね５８の占めるスペースも小スペースとなし得、従ってまたその周辺部の構造も径方向に小型のものとなすことができる。
【００４６】
また本実施形態では係合部５６-１，５６-２を周方向に沿って複数個所に設け、それら複数の係合部５６-１，５６-２を、対応するホルダ１６側の複数の被係合部７２-１，７２-２，７２-３，７２-４，７２-５に同時に弾性的に係合させるようになしていることから、コイルばね５８の付勢力を強くできることと相まって、より一層大きな安定したクリック感を発生させることができる。
【００４７】
また本実施形態では上クリック部材４８の係合部５６-１，５６-２を軸方向において回転軸部２６の下端面と重なる位置に形成しており、このため係合部を回転軸部２６の径方向の外側位置に配置したものと異なって係合部５６-１，５６-２が回転クリック機構３８を径方向に特に大型化する要因とはならず、このことによってもまた回転クリック機構及びその周りの構造を有効に径方向に小型化することができる。
【００４８】
加えてコイルばね５８による付勢力を効果高く係合部５６-１，５６-２に対して軸方向に及ぼすことができ、ひいては被係合部７２-１，７２-２，７２-３，７２-４，７２-５に対する係合部５６-１，５６-２の弾性係合力を効果高く発生させ得、クリック感をより効果的に大きくすることができる。
【００４９】
また本実施形態では上クリック部材４８に設けた弾性掛止爪５０を回転軸部２６に設けた掛止溝５２の底部５４に掛止させることで、上クリック部材４８を回転軸部２６に取り付けるようになしているため、上クリック部材４８を回転軸部２６に取り付けるための別途の部材を必要とせず、所要部品点数が少なくて済み、回転クリック機構３８の構造を簡素化することができるとともに、上クリック部材４８の取り付けの工数、回転クリック機構４８の組み付けの工数を少なくすることができる。
【００５０】
本実施形態においては、回転軸部２６の下端から吐水管１２の回転規制のための回転規制突起４０を下向きに突出させるとともに、上クリック部材４８を、回転規制突起４０の周方向の一端から他端に到るＣ字環状に形成して、その上クリック部材４８の周方向の各端を、回転規制突起４０の一端のストッパ面４２-１と他端のストッパ面４２-２とに周方向に当接させる状態に上記の回転軸部２６に保持させ、吐水管１２自体の回転規制をなす回転規制突起４０に、上クリック部材４８に対する回止め部としての働きも兼用させている。
従ってこの実施形態によれば、上クリック部材４８を回転軸部２６に対して相対回転規制するための別途の部材を必要とせず、これにより回転クリック機構３８を構成する所要部品点数を少なくでき、回転クリック機構３８の構造を簡素化できるとともに、回転クリック機構３８を組み付けるための工数を少なくすることができる。
【００５１】
以上本発明の実施形態を詳述したがこれはあくまで一例示である。
例えば上記実施形態では、下クリック部材４４をホルダ１６と別体となしてこれをホルダ１６に取り付け、以てホルダ１６側の被係合部７２-１，７２-２，７２-３，７２-４，７２-５を設けているが、場合によって被係合部７２-１，７２-２，７２-３，７２-４，７２-５をホルダ１６に一体に構成しておくことも可能である。
また上記実施形態では上クリック部材４８の側に凸部からなる係合部５６-１，５６-２を、また下クリック部材４４の側に凹部からなる被係合部７２-１，７２-２，７２-３，７２-４，７２-５を設けているが、場合によって上クリック部材４８に凹部からなる係合部を、また下クリック部材４４に凸部からなる被係合部を設けるといったことも可能である。
更に上記実施形態と異なって回転軸部２６の側に弾性掛止爪を、上クリック部材４８の側に掛止部を設けるといったことも可能である等、本発明はその趣旨を逸脱しない範囲において種々変更を加えた形態で構成可能である。
【図面の簡単な説明】
【００５２】
【図１】本発明の一実施形態の吐水装置を示した全体斜視図である。
【図２】図１の吐水管をホルダから分離して示した斜視図である。
【図３】同実施形態の要部の断面図である。
【図４】同実施形態における吐水管をホルダから分離して示した断面図である。
【図５】同実施形態における吐水管をホルダから分離して示した斜視図及びホルダの切欠斜視図である。
【図６】同実施形態の吐水装置を各部材に分解して示した断面図である。
【図７】同実施形態の吐水装置を各部材に分解して示した分解斜視図である。
【図８】図７に示す各部材を別の方向から見た分解斜視図である。
【図９】同実施形態における上クリック部材の図である。
【図１０】同実施形態における下クリック部材の図である。
【図１１】同実施形態の吐水装置の作用説明図である。
【図１２】同実施形態の吐水装置の利点を説明するために示した比較例図である。
【符号の説明】
【００５３】
１０  吐水装置
１２  吐水管
１６  ホルダ
２６  回転軸部
３８  回転クリック機構
４４  下クリック部材
４８  上クリック部材
５６-１，５６-２  係合部
５８  コイルばね
７２-１，７２-２，７２-３，７２-４，７２-５  被係合部
【図１】
0005116450.tif 000002
【図２】
0005116450.tif 000003
【図３】
0005116450.tif 000004
【図４】
0005116450.tif 000005
【図５】
0005116450.tif 000006
【図６】
0005116450.tif 000007
【図７】
0005116450.tif 000008
【図８】
0005116450.tif 000009
【図９】
0005116450.tif 000010
【図１０】
0005116450.tif 000011
【図１１】
0005116450.tif 000012
【図１２】
0005116450.tif 000013